(57)【特許請求の範囲】
【請求項１】
上方に配設された配線・配管材用受具の受け部に対して、ケーブル又は管を布設する際に使用する配線・配管材布設具であって、
傾斜面からなりケーブル又は管の周面を支持する支持部と、
前記支持部から連続して形成された傾斜面からなる降下路と、
前記支持部と降下路との間において進退可能に設けた突出体からなり、傾斜面上から突出した時には前記支持部と共にケーブル又は管を支持して降下路への移動を防止し、該傾斜面上から後退した時には前記ケーブル又は管の支持状態を解除して、当該ケーブル又は管を前記支持部から前記降下路へと滑降させる解除手段と、
を備えた支持具本体と、
前記支持部を上方に配置すべく、前記支持具本体よりロッド部材によって下方に延設されてなる把持部と、
前記突出体に対して一端が連結され、他端を前記把持部付近で操作することにより突出体を降下路上から後退させる操作手段と、
を備えたことを特徴とする配線・配管材布設具。
【請求項２】
前記支持部は、前記把持部の略直上に配設されることを特徴とする請求項１に記載の配線・配管材布設具。
【請求項３】
前記配線・配管材用受具は、受け部とその両端に立設する側壁とからなるものであって、
前記支持具本体には、該支持具本体の降下路を受具内に向けた状態で当該配線・配管材用受具の側方から進入させて該受具に掛け止め可能な掛止部を備えたことを特徴とする請求項１又は２に記載の配線・配管材布設具。
【請求項４】
前記掛止部は、配線・配管材用受具の側壁の上端に掛け止め可能であることを特徴とする請求項３に記載の配線・配管材布設具。
【請求項５】
前記ケーブル又は管の受具の幅方向への布設位置を段階的に調整すべく、受具に対する進入方向に沿って複数の掛止部を備えたことを特徴とする請求項３又は４に記載の配線・配管材布設具。
【請求項６】
前記降下路に、１又は２以上のローラー機構が設けられていることを特徴とする請求項１から５の何れかに記載の配線・配管材布設具。
【発明の詳細な説明】
【０００１】
【発明の属する技術分野】
本発明は、配線・配管材用受具に対して配線又は配管を布設する布設具に関し、特に、高所に配設された配線・配管材用受具への布設を、容易且つ確実に行うことを可能とする、布設具に関するものである。
【０００２】
【従来の技術】
高所に配設された配線・配管材用受具の上に、配線・配管材（以下、単に「ケーブル等」とする）を布設する際には、作業者がケーブル等とともに脚立等に登り、前記ケーブル等を受具上に載置することによって布設したり、或いは、作業者が前記受具の上に乗って移動しながら布設するなど行っていた。
【０００３】
このような布設方法は危険且つ面倒であり、それに加えて、ケーブル等の布設に長時間を要するという問題がある。
【０００４】
このような問題を解決すべく、出願人は特開平１１−２５２７３２に係る公報において「布設具」に係る技術（図１５乃至図１６参照）を提案している。この公報に記載された技術に係る「布設具」は、受具上に引き込まれた配線・配管材を楽にかつ安全に所定位置に移動させることが可能となる点については有効な技術である。
【０００５】
然るに、上記公報に記載された技術に係る「布設具」は、図１６に示すように、ケーブル等を受具上に布設する際、実質的には高い位置から前記ケーブル等を受具上に放出するようにして落下させ、受具上に布設するものである。このような手法では、ケーブル等を受具に落下させた際の衝撃により、前記ケーブル等が前記受具上において弾んでしまうなど、所望の位置へ正確に布設することが困難となる。即ち、布設したケーブル等が受具上で重なり合うなどして、改めて大幅に整列しなおす必要があり、面倒な作業を要するという問題があった。
【０００６】
また、上記公報に記載の技術に係る「布設具」は、ケーブル等を支持する部分が、作業者が当該布設具を把持する部分の直上端より側方に延設された位置にある「腕部」の先端に設けられている。そのため作業者は、「布設具」及び布設目的物である「ケーブル等」の実質的な重量に加え、前記「腕部」の先端に加えられる荷重さえも負担しなければならず、作業者に強いる負担が大きかった。そのため、当該「布設具」を用いて布設作業を行う場合には当該布設具自体がふらついてしまい、前記ケーブル等を受具上の所望する位置に布設することが困難となる。
【０００７】
さらに、前記「布設具」を用いて布設作業にあたる作業者は、布設具自体の重量と、当該布設具の上に載せているケーブル等との重量とを支えなくてはならず、その重量があまりに大きい場合には、布設具自体が作業者の頭上においてふらついてしまい、布設具先端の「支持部」の位置が安定せず、受具上の所望する位置に前記ケーブル等を布設することが困難となってしまうという問題がある。
【０００８】
本発明は上記の諸問題を解決すべくなされたものであり、その解決しようとする課題は以下に示すものである。
【０００９】
【発明の解決しようとする課題】
即ち、本発明の解決しようとする課題は、受具上にケーブル等を布設する際に、前記ケーブル等を実質的に落下させる距離を極力短くすることにより、前記受具と前記ケーブル等との衝突に伴う衝撃を抑えて、前記受具上において前記ケーブル等を所望の位置に布設することにある。
【００１０】
また、本発明の別の目的とすることころは、把持部と支持部との横方向に対する距離を極力短くすることによって作業者への負担を極力少なくし、ケーブル等の布設作業にあたる作業者の頭上において、布設具自体がふらつくことを防止して、重いケーブル等でも確実に支持可能とすることにある。
【００１１】
さらに、本発明の別の目的とすることころは、高所に配設された受具にケーブル等を布設する際に、まず、前記受具に対して布設具に係る支持部の先端を掛止させることによって布設具及びケーブル等の重量を預けてしまい、その後、支持されたケーブル等への支持状態を解除する。そのため、布設具自体がふらつくことがなく、前記ケーブル等を受具上の所望する位置に整然と配設することを可能とすることにある。
【００１２】
【課題を解決するための手段】
上記の課題を解決すべく本各発明の採った手段は以下の如くである。
まず、請求項１に係る発明の配線・配管材布設具１００は、上方に配設された配線・配管材用受具の受け部に対して、ケーブル又は管を布設する際に使用する配線・配管材布設具１００であって、傾斜面からなりケーブル又は管の周面を支持する支持部１０と、前記支持部１０から連続して形成された傾斜面からなる降下路６０と、前記支持部１０と降下路６０との間において進退可能に設けた突出体からなり、傾斜面上から突出した時には前記支持部１０と共にケーブル又は管を支持して降下路６０への移動を防止し、該傾斜面上から後退した時には前記ケーブル又は管の支持状態を解除して、当該ケーブル又は管を前記支持部１０から前記降下路６０へと滑降させる解除手段３０と、を備えた支持具本体１１と、前記支持部１０を上方に配置すべく、前記支持具本体１１よりロッド部材２１によって下方に延設されてなる把持部２０と、前記突出体に対して一端が連結され、他端を前記把持部２０付近で操作することにより突出体を降下路上から後退させる操作手段４０と、を備えたことを特徴とするものである。
【００１３】
即ち、この請求項１に係る発明の配線・配管材布設具１００は、「支持部１０」と「把持部２０」と「解除手段３０」と「操作手段４０」と「降下路６０」とを有し、以下に示す作用を奏するものである。
【００１４】
この請求項１に係る発明の布設具１００を用いて、受具に対してケーブル等を布設する場合には、まず、支持部１０にケーブル等を載置させた状態で、前記支持部１０の下方に設けられた把持部２０を取り上方に配設された受具に向けて持ち上げる。次に、前記支持部１０に支持されたケーブル等を、受具自体の「受け皿」に相当する部分（以下、「受け部」とする）の直上に向けて、当該受具側方から進入させる。この状態で操作手段４０を操作し、支持部１０に支持されたケーブル等の支持状態を解除して、傾斜面により形成された降下路６０を滑降させ、受具上に前記ケーブル等が布設されることとなる。
【００１５】
ここで、前記「降下路６０」は、ケーブル等を案内すべく作用するものであるため、受け部における所望する位置にケーブル等を布設することが可能となる。また、この「降下路６０」上をケーブル等が滑降する際には、前記ケーブル等と降下路６０との間に若干の摩擦が発生するため、前記ケーブル等の降下速度が低減されることとなり、当該ケーブル等が受具の「受け部」に衝突する際に生じるであろう、衝撃を抑えられることとなる。
【００１６】
また、本発明に係る布設具１００は、ケーブル等を傾斜面である「降下路６０」上を滑降させることとなる。そのため、前記「降下路６０」の下端と、受具の「受け部」との間の、ケーブルが自然落下する高さ距離（以下、「実質的な落下距離」）を極力短くすることが可能となる。このように「実質的な落下距離」を極力短くすることにより、ケーブル等と受具とが衝突する際の衝撃を抑えることが可能となる。
【００１７】
このように、本請求項に係る発明の「布設具１００」は、布設目的物であるケーブル等と、受具の「受け部」との間に生じる衝撃を抑えることにより、前記ケーブル等が「受け部」上において弾んでしまうことを防止できる。そのため、当該ケーブル等を所望の位置へ正確に布設することが可能となり、布設したケーブル等が受具上で重なり合うことを防止できるので、前記ケーブル等を改めて大幅に整列しなおす必要がないという優れた効果を奏するのである。
【００１８】
また、本請求項に係る発明の布設具１００は、傾斜面である降下路６０上にケーブル等を滑降させることにより受け部上へ布設するものである。即ち、受け部に対して斜め上方よりケーブル等を滑降させて、前記受け部上へと降下させるのである。つまり本請求項に係る発明によれば、ケーブル等を受け部上へ布設するにあたっては、支持部１０により支持されたケーブル等を、受け部の斜め上方へと配置すればよく、受け部の略直上へ配置する必要がないのである。従って、把持部２０から横方向に離れた位置に支持部１０を延設する必要がないことから、把持部２０と支持部１０との間における横方向に対する距離を短くすることが可能となるのである。そのため、「布設具」及び布設目的物である「ケーブル等」の実質的な重量以外の、支持部１０へ加えられる「荷重」を極力減らすことが可能となり、布設作業にあたる作業者への負担を軽減することが可能となるのである。
【００１９】
さらに、本請求項に係る発明の布設具１００は、操作手段４０により操作される解除手段３０を、進退可能な突出体にて形成したものである。操作手段４０を操作することによって前記突出体を傾斜面上より後退させ、ケーブル等の支持状態を解除することとなる。前記ケーブル等の支持状態を解除することによって当該ケーブル等が降下路６０上を滑降し、受け部上に配設されることとなる。即ち本請求項に係る発明によれば、簡易な構造で確実にケーブル等の「支持状態」を解除することが可能となり、ひいては、前記ケーブル等を確実に受け部上へ布設することが可能となるのである。
【００２０】
次に、請求項２に係る発明の配線・配管材布設具１００は、請求項１に記載の配線・配管材布設具１００において、前記支持部１０は、前記把持部２０の略直上に配設されることを特徴とするものである。
【００２１】
この請求項２に係る発明の布設具１００は、作業者が把持する「把持部２０」の略直上に、ケーブル等を支持する「支持部１０」を設けたものである。即ち、前記把持部２０と前記支持部１０との、「横方向に対する距離」を極力短くして配設したものである。このように当該「横方向に対する距離」を短くすることにより、「布設具」及び布設目的物である「ケーブル等」の実質的な重量以外には「荷重」が発生しない。そのため、当該布設具１００を用いてケーブル等の布設作業を行う作業者は、直上より加重される「布設具１００」及び布設目的物である「ケーブル等」の実質的な重量のみを負担すればよいので、作業者への負担を最小限に抑えることが可能となる。従って、当該布設具１００が作業者の頭上においてふらついてしまうことを防止できる。
【００２２】
即ち、この請求項２に係る発明の「布設具１００」によれば、ケーブル等の布設作業に際して、当該布設具１００を作業者の頭上において安定させることが可能となり、ひいては、ケーブル等を受け部に整列した状態で布設することが可能となるのである。
【００２３】
請求項３に係る発明は、請求項１又は２に記載の配線・配管材布設具１００において、前記配線・配管材用受具は、受け部とその両端に立設する側壁とからなるものであって、前記支持具本体１１には、該支持具本体１１の降下路６０を受具内に向けた状態で当該配線・配管材用受具の側方から進入させて該受具に掛け止め可能な「掛止部５０」を備えたことを特徴とするものである。
【００２４】
即ち、この請求項３に係る発明の配線・配管材布設具１００は、「支持部１０」と「把持部２０」と「解除手段３０」と「操作手段４０」と「降下路６０」と「掛止部５０」とを有し、以下に示す作用を奏するものである。
【００２５】
この請求項３に係る発明の布設具１００を用いて、受具に対してケーブル等を布設する場合には、まず、支持部１０にケーブル等を載置させた状態で、下方に設けられた把持部２０を取り上方に配設された受具に向けて持ち上げ、当該受具に対して布設具１００の掛止部５０を掛止させる。次に、受具に布設具１００を掛止させた状態で操作手段４０を操作し、支持部１０に支持されたケーブル等の支持状態を解除する。ケーブル等の支持状態が解除されることにより、受具上に前記ケーブル等が布設されることとなる。
【００２６】
即ち、操作手段４０により支持状態を解除するときには、布設具１００及びケーブル等の全ての重量は受具に掛かっている状態にある。そのため、作業者はこれらの重量の一切を負担する必要がないので、ケーブルが載置された支持部１０の位置を安定させることが可能となる。当該支持部１０の位置を安定させた状態で操作手段４０を操作し、支持部１０に支持されたケーブル等の支持状態を解除して、傾斜面により形成された降下路６０を滑降させ、受具上に前記ケーブル等が布設されることとなる。
【００２７】
また、この請求項３に係る発明は、前述の請求項１に係る発明の如く、「降下路６０」がケーブル等を案内すべく作用して、受け部における所望する位置にケーブル等を布設することが可能となり、また、ケーブル等が降下路６０上を滑降することからケーブル等の降下速度を低減させることが可能となる。さらに、「実質的な落下距離」を短くでき、ケーブル等と受け部との衝突による衝撃を抑えることが可能となるため、前記ケーブル等が「受け部」上において弾んでしまうことを防止できる。そのため、当該ケーブル等を所望の位置へ正確に布設することが可能となり、布設したケーブル等が受具上で重なり合うことを防止できるので、前記ケーブル等を改めて大幅に整列しなおす必要がないという優れた効果を奏する。
【００２８】
さらに、本請求項に係る発明の布設具１００は、請求項１に係る発明の如く、傾斜面である降下路６０上にケーブル等を滑降させることにより受け部上へ布設するものである。即ち、受け部に対して斜め上方よりケーブル等を滑降させて、前記受け部上へと降下させるのである。つまり本請求項に係る発明によれば、ケーブル等を受け部上へ布設するにあたっては、支持部１０により支持されたケーブル等を、受け部の斜め上方へと配置すればよく、受け部の略直上へ配置する必要がないのである。従って、把持部２０から横方向に離れた位置に支持部１０を延設する必要がないことから、把持部２０と支持部１０との間における横方向に対する距離を短くすることが可能となるのである。そのため、「布設具」及び布設目的物である「ケーブル等」の実質的な重量以外の、支持部１０へ加えられる「荷重」を極力減らすことが可能となり、布設作業にあたる作業者への負担を軽減することが可能となるのである。
【００２９】
そして、ケーブルを支持する「支持部１０」を、「把持部２０」の略直上に配設した場合には、請求項２に係る発明の如く、作業者への負担を最小限に抑えることが可能となる。従って、布設具１００自体が作業者の頭上においてふらついてしまうことを防止できる。
【００３０】
従って、この請求項３に係る発明によれば、ケーブル等を受具上に載置する際に、ケーブル等の重量によって作業者がふらついてしまうことがなくなり、安全且つ確実にケーブル等を敷設することが可能となるのである。
【００３１】
請求項４に係る発明は、請求項３に記載の配線・配管材布設具１００において、前記掛止部５０は、配線・配管材用受具の側壁の上端に掛け止め可能であることを特徴とするものである。
【００３２】
この請求項４に係る発明の布設具１００は、布設具１００の掛止部５０を受具における側壁の上端に掛止させるものである。
【００３３】
即ちこの請求項４に係る発明の布設具１００は、ケーブル等の布設にあたり、受具側壁の上端に、布設具１００の「掛止部５０」を掛止させるものである。そのため、掛止部５０を受具側壁の上端に掛止させた状態のままで、前記ケーブル等に対する支持状態を解除し、当該ケーブル等を受け部に降下させることのみを以て、前記ケーブル等の布設が可能となるのである。
【００３４】
請求項５に係る発明は、請求項３又は４に記載の配線・配管材布設具１００において、前記ケーブル又は管の受具の幅方向への布設位置を段階的に調整すべく、受具に対する進入方向に沿って複数の掛止部５０を備えたことを特徴とするものである。
【００３５】
この請求項５に係る発明は、「掛止部５０」を段階的に複数設けることにより、「受け部」の幅方向に対して、段階的に段階的にケーブル等の布設作業を行うことができるものである。例えば、この請求項５に係る発明の布設具１００を用いてケーブル等の布設作業を行う場合には、前記受け部の幅方向に対して、まず幅方向の最も外側に面する付近からケーブル等を布設し、その後、順次、内側方向に向けてケーブルを布設するのである。
【００３６】
即ち、この請求項５に係る発明の布設具１００によれば、受具における「受け部」に対し、複数のケーブル等を段階的に整然と布設することが可能となるのである。
【００３７】
請求項６に係る発明は、請求項１から５の何れかに記載の配線・配管材布設具において、ケーブル等を滑降させる降下路６０に、１又は２以上のローラー機構６１が設けられていることを特徴とするものである。
【００３８】
布設目的物であるケーブル等の外皮が「塩化ビニル」等により形成されている場合には、当該ケーブル等と降下路６０との間の「摩擦」が大きくなる。この「摩擦」があまりにも大きくなると、降下路６０上をケーブル等がスムースに滑降しないため、当該ケーブル等がよじれてしまう等の問題が発生する。このような場合には、前記降下路６０上の摩擦を低減させる必要がある。
【００３９】
この点、請求項６に係る発明の布設具１００によれば、降下路６０上に１又は２以上のローラー機構６１が設けられているため、前記降下路６０上の摩擦が低減されることとなる。そのため、ケーブル等を、降下路６０上をスムースに滑降させることが可能となり、受け部上へ確実に布設することが可能となるのである。
【００４０】
【発明の実施の形態】
本発明を具体化した布設具１００について、以下、図１から図１４に従って説明する。
本実施例に係る「配線・配管材布設具１００」は、図１に示すように、「支持具部１１」と「把持部２０」と「解除手段３０」と「操作手段４０」と「掛止部５０」とを有しており、とりわけ、前記支持部１０付近に「降下路６０」を設けたことを特徴とするものである。以下、各構成要件ごとに詳説する。
【００４１】
まず「支持部１０」につき説明する。この「支持部１０」は、ケーブル等に対する「支持状態」を作り出すものである。本実施例においては図２に示すように、支持具本体１１の上部が「支持部１０」に相当する。この「支持部１０」は、後記「解除手段３０」を備えており、この「解除手段３０」が作動することによって、前記の支持状態が解除されることとなるのである。
【００４２】
一方、本実施例において「支持具本体１１」は、各図に示すように、その上部に前記「支持部１０」を備え、この「支持部１０」と後述の「把持部２０」とを接続するものであり、上端部分に傾斜面からなる「降下路６０」が形成されている。この「降下路６０」は、各図に示すように、「支持具本体１１」の上端部分に形成された傾斜面である。この「降下路６０」は、前記支持部１０によるケーブル等への「支持状態」が解除された後に、前記ケーブル等を滑降させて受具上に降下させるものである。即ち、支持部１０より連続する傾斜面を形成することにより、支持部１０による「支持状態」が解除され前記傾斜面上をケーブル等が滑降することとなり、そのまま受具の「受け部」上に降下させることが可能となるのである。
【００４３】
そのため、図１０又は図１２に示すように、前記「降下路６０」の下端と、受具の「受け部」との間の、ケーブルが自然落下する高さ距離（以下、「実質的な落下距離」）を極力短くすることが可能となる。このように「実質的な落下距離」を極力短くすることにより、ケーブル等と受具とが衝突する際の衝撃を抑えることが可能となるのである。
【００４４】
また、当該「降下路６０」は、ケーブル等を案内すべく作用するものであるため、受け部における所望する位置にケーブル等を布設することが可能となる。さらに、この「降下路６０」上をケーブル等が滑降する際には、前記ケーブル等と降下路６０との間に若干の摩擦が発生するため、前記ケーブル等の降下速度が低減されることとなり、当該ケーブル等が受具の「受け部」に衝突する際に生じるであろう、衝撃を抑えられることとなる。
【００４５】
このように、本実施例に係る発明の「布設具１００」は、布設目的物であるケーブル等と、受具の「受け部」との間に生じる衝撃を抑えることにより、前記ケーブル等が「受け部」上において弾んでしまうことを防止できる。そのため、当該ケーブル等を所望の位置へ正確に布設することが可能となり、布設したケーブル等が受具上で重なり合うことを防止できるので、前記ケーブル等を改めて大幅に整列しなおす必要がないという優れた効果を奏することとなる。
【００４６】
尚、布設目的物であるケーブル等の外皮が「塩化ビニル」等により形成されている場合には、当該ケーブル等と降下路６０との間の「摩擦」が大きくなる。この「摩擦」があまりにも大きくなると、降下路６０上をケーブル等がスムースに滑降しないため、当該ケーブル等がよじれてしまう等の問題が発生する。このような場合には、前記降下路６０上の摩擦を低減させる必要がある。この摩擦を低減させる具体的手段としては、図８に示すように、降下路６０を断面略半円状に形成するなどして、ケーブル等との接触面積を減らし、摩擦を低減させることが考えられる。さらに、図示はしないが、降下路６０上にテフロン加工を施したり、或いは、降下路６０上に１又は２以上の「ローラー機構６１」を設けるなどして、前記摩擦を低減させるものとしてもよい。即ち、上記ローラー機構６１は、降下路６０上に１つだけ設けた場合にも、前記降下路６０において摩擦が集中する部位であれば、ケーブル等を滑降させる契機となり有効であると考えられる。また上記ローラー機構６１を降下路６０上に連続して複数設けることにより、ケーブル等をスムースに降下させることも有効であると考えられる。
【００４７】
次に「把持部２０」につき説明する。この「把持部２０」は、布設作業にあたる作業者が把持する部分であって、前述の「支持具本体１１」よりも下方に延設することにり、前記「支持部１０」を布設具１００における上方位置に配置させるものである。本実施例において当該「把持部２０」は、図１に示すように、支持具本体１１の略直下に伸縮自在なロッド部材２１を設け、このロッド部材２１の下端部分にグリップ２２を設けることにより構成している。
【００４８】
このように構成することにより、把持部２０と支持部１０を備える支持具本体１１との横方向に対する距離を極力短くすることが可能となる。そのため、布設作業にあたる作業者を起点として横方向に離れた位置から重量が荷重されることがないので、前記作業者は略直上から荷重される重量のみを負担すればよい。よって、前記作業者は「布設具１００の重量」及び当該布設具１００上に載置される「ケーブル等重量」のみを負担すればよいので、作業者に与える負担を極力抑えることが可能となる。
【００４９】
本実施例に係る布設具１００を用いて布設作業にあたる際には、略直上からのみ重量が加重されるので、当該布設具１００自体が作業者の頭上においてふらついてしまうことを防止できるので、ケーブル等の布設作業を安全且つ確実に行うことが可能となる。また、上述したように、本実施例に係る布設具１００を用いて布設作業を行う場合に、作業者は「布設具１００の重量」及び当該布設具１００上に載置される「ケーブル等重量」のみを負担すればよいので、重量の大きいケーブル等であっても、受具上に布設することが可能となるのである。
【００５０】
なお、布設具１００に係る掛止部５０を受具に掛止させた後に、上述のロッド部材２１をそのまま下方に延伸させ、当該ロッド部材２１の先端を前記受具下方の地面（床面）に当接させるものとしてもよい。即ち、掛止部５０を受具に掛止させた後に把持部２０を地面（床面）上に当接させることにより、布設具１００が「受具」乃至「地面（床面）」に支持されることとなり、当該布設具１００自体を確実に安定させることが可能となる。そのため、布設具１００自体が一切ふらつかなくなるとともに、布設作業にあたる作業者への負担も最小限に抑えることが可能となるのである。
【００５１】
続いて「解除手段３０」につき説明する。この「解除手段３０」は、後述の「操作手段４０」を操作されることにより、ケーブル等を支持する前記支持部１０の「支持状態」を解除するものである。この「解除手段３０」は、上記の作用を奏するものであれば如何なる構造又は構成のものとしてもよいが、具体的には、図２又は図３に示すように、前述の「支持部１０本体」に貫通孔を穿設し、当該貫通孔に対して進退自在な「棒状部材３１」を挿通させることにより構成することが考えられる。尚、この「棒状部材３１」には、コイルスプリング３２で付勢することにより、「支持部１０」付近に突出すべく作用させるとよい。
【００５２】
さらに、この「解除手段３０」は、図４乃至図７に示す構成を採ってもよい。まず、図４及び図５に示す構成を説明する。この構成は、図４に示すように、支持具本体１１内に半月状に形成された「回動部材３３」をコイルスプリングを介して軸着したものである。この「回動部材３３」は、後述する操作手段４０が連結されており、当該操作手段４０を操作することにより、図５に示すように、前記「回動部材３３」が回転して、前記ケーブル等への支持状態を解除するとともに、当該ケーブル等の後方から押し込むこととなる。尚、前記「回動部材３３」はコイルスプリングを介して軸着されているので、操作手段４０を解放することにより、図４に示す状態へと復帰することとなる。
【００５３】
一方、図６及び図７に示す構成は、図６に示すように、支持具本体１１内に略「く」字状に形成された「屈曲部材３４」をコイルスプリングを介して軸着したものである。この「屈曲部材３４」は、後述する操作手段４０が連結されており、当該操作手段４０を操作することにより、図７に示すように、前記「屈曲部材３４」が回動して、前記ケーブル等への支持状態を解除するとともに、当該ケーブル等の後方から押し込むこととなる。尚、前記「屈曲部材３４」はコイルスプリングを介して軸着されているので、操作手段４０を解放することにより、図６に示す状態へと復帰することとなる。
【００５４】
即ち、図２及び図３に示した構成は、直線運動を行う「解除手段３０」であるのに対し、図４乃至図７に示した構成は、曲線運動を行う「解除手段３０」を採用したものである。このように「解除手段３０」を曲線運動を伴って作動させることにより、ケーブル等に対する「支持状態」を解除するのみでなく、当該ケーブル等を受具に向けて積極的に押し出すように作用することとなるのである。
【００５５】
続いて、「操作手段４０」につき説明する。この「操作手段４０」を操作することにより、前述の「解除手段３０」を作動させる。解除手段３０を作動させることによって支持部１０によるケーブル等の支持状態が解除されることとなる。本実施例に係る布設具１００を用いて布設作業を行う際には、作業者が前記把持部２０を把持することにより支持部１０を上方に配置させた状態にて「操作手段４０」を操作が可能である必要がある。そのため、前述の「把持部２０」の付近に「操作手段４０」を設けることが好適であると考えられる。具体的には、各図に示すように、前記解除手段３０に「ひも状部材」を連結し、当該「ひも状部材」を下方に引き込み、或いは、その引き込みを解放することにより、前記解除手段３０を進退させることが考えられる。このように前記解除手段３０を進退自在に操作することにより、「支持部１０」によるケーブル等への支持状態を自在に操作することが可能となるのである。また、この「操作手段４０」は、前述の「ひも状部材」に特段限定されるものではなく、図１５に示すように、「レバー機構」を採用するものとしてもよい。
【００５６】
「掛止部５０」につき説明する。この「掛止部５０」は、本実施例に係る「布設具１００」を用いてケーブル等の布設を行う際に、ケーブル等への支持状態の解除を行うに先立って、当該「布設具１００」自体を受具に掛止させるものである。
【００５７】
このように、掛止部５０によって受具に掛止させることにより、「布設具１００自体の重量」と布設の目的物である「ケーブル等の重量」とを、全て受具に負担させ、「布設具１００」自体をいわば「宙づり」に近い状態とすることができるのである。そのため、ケーブル等の布設作業にあたる作業者は、「把持部２０」に手を添える程度に支持すればよく、従来のように布設具１００を下方から受具に向けて支持することから解放されるため、前記作業者の負担を減らすことができる。従って、受具に掛止部５０を掛止させた後においては、作業者は前述の「操作手段４０」による「解除手段３０」への操作にのみ専念することが可能となる。
【００５８】
つまり、本実施例に係る「布設具１００」を用いてケーブル等の布設作業を行う際には、受具における「受け部」の所望する位置へケーブル等を確実に布設することが可能となるのである。このような作用を奏することが可能であればどのような構造のものとしてもよいが、具体的には図９に示すように、「支持具本体１１」の下側端面を櫛歯の如く凹凸状に形成し、この櫛歯部分に受具側壁の上端を係止させることが考えられる。掛止部５０を受具側壁の上端に掛止させることにより、前記ケーブル等に対する支持状態を解除して当該ケーブル等を受け部に降下させることのみを以て、前記ケーブル等の布設が可能となるのである。
【００５９】
また、図１０又は図１２の側面図に示すように、複数の種類の受具に対応可能に構成すると更に好適と考えられる。このように形成することにより、図１１に示す「ラダータイプ」の受具や、図１３に示す「メッシュタイプ」の受具に対しても対応可能となるのである。
【００６０】
さらに、図１０又は図１２に示すように、「掛止部５０」を複数の箇所にわたり段階的に設けることが好適と考えられる。即ち、複数の「掛止部５０」を設けることにより、「受け部」の幅方向に対して、段階的に段階的にケーブル等の布設作業を行うことができるものである。本実施例に係る「布設具１００」を用いてケーブル等の布設作業を行う場合には、前記受け部の幅方向に対して、まず幅方向の最も外側に面する付近からケーブル等を布設し、順次、内側方向に向けてケーブルを布設することが考えられる。このようにして、受具における「受け部」に対し、複数のケーブル等を段階的に整然と布設することが可能となるのである。
【００６１】
一方、支持具本体１１の側方に掛止部５０を設けることも考えられる。即ち、図１４に示すように、「Ｌ形掛止部５１」を支持具本体１１の側方に設けることによって、受け部が相互に連続しない受具にもケーブル等を布設することが可能となるのである。
【００６２】
以上、本発明に係る配線・配管材布設具１００を一実施例とともに詳説したが、本発明は、この構成に特段限定されるものではない。即ち、本発明の本質を逸脱しない範囲で形状乃至構造を変更してもよい。
【００６３】
例えば「掛止部５０の形状」等は、添付した図面に示す形状に限定されることはなく、布設対象である受具の形状に対応させ、「布設具１００」形状を任意に決定されるものである。
【００６４】
また、支持具本体１１を大型化して、当該支持具本体１１を構成する一辺の寸法をより長く形成してもよい。即ち、支持具本体１１を形成する一辺の寸法を長くすることにより、掛止部５０を受具に掛止させた際に、受具に係る「受け部」の奥の方へも支持具本体１１を進入させ、そこへケーブル等を布設することが可能となるのである。
【００６５】
【発明の効果】
まず、請求項１に係る発明の配線・配管材布設具は、上方に配設された配線・配管材用受具の受け部に対して、ケーブル又は管を布設する際に使用する配線・配管材布設具であって、傾斜面からなりケーブル又は管の周面を支持する支持部と、前記支持部から連続して形成された傾斜面からなる降下路と、前記支持部と降下路との間において進退可能に設けた突出体からなり、傾斜面上から突出した時には前記支持部と共にケーブル又は管を支持して降下路への移動を防止し、該傾斜面上から後退した時には前記ケーブル又は管の支持状態を解除して、当該ケーブル又は管を前記支持部から前記降下路へと滑降させる解除手段と、を備えた支持具本体と、前記支持部を上方に配置すべく、前記支持具本体よりロッド部材によって下方に延設されてなる把持部と、前記突出体に対して一端が連結され、他端を前記把持部付近で操作することにより突出体を降下路上から後退させる操作手段と、を備えたことに、その構成上の特徴を有するものである。
【００６６】
そしてこの請求項１に係る発明によれば、布設目的物であるケーブル等と、受具の「受け部」との間に生じる衝撃を抑えることにより、前記ケーブル等が「受け部」上において弾んでしまうことを防止できる。そのため、当該ケーブル等を所望の位置へ正確に布設することが可能となり、布設したケーブル等が受具上で重なり合うことを防止できるので、前記ケーブル等を改めて大幅に整列しなおす必要がないという優れた効果を奏するのである。
【００６７】
また、この請求項１に係る発明によれば、把持部と支持部との間における横方向に対する距離を短くすることが可能となるので、「布設具」及び布設目的物である「ケーブル等」の実質的な重量以外の、支持部へ加えられる「荷重」を極力減らすことが可能となり、ひいては、布設作業にあたる作業者への負担を軽減することが可能となるという効果を奏するのである。
【００６８】
さらに、この請求項１に係る発明の布設具によれば、簡易な構造で確実にケーブル等の「支持状態」を解除することが可能となり、ひいては、前記ケーブル等を確実に受け部上へ布設することが可能となるのである。
【００６９】
次に、請求項２に係る発明の配線・配管材布設具は、請求項１に記載の配線・配管材布設具において、前記支持部は、前記把持部の略直上に配設されることに、その構成上の特徴を有するものである。
【００７０】
そして、この請求項２に係る発明の「布設具」によれば、ケーブル等の布設作業に際して、当該布設具を作業者の頭上において安定させることが可能となり、ひいては、ケーブル等を受け部に整列した状態で布設することが可能となるのである。
【００７１】
請求項３に係る発明は、請求項１又は２に記載の配線・配管材布設具において、前記配線・配管材用受具は、受け部とその両端に立設する側壁とからなるものであって、前記支持具本体には、該支持具本体の降下路を受具内に向けた状態で当該配線・配管材用受具の側方から進入させて該受具に掛け止め可能な掛止部を備えたことに、その構成上の特徴を有するものである。
【００７２】
そして、この請求項３に係る発明によれば、ケーブル等を受具上に載置する際に、ケーブル等の重量によって作業者がふらついてしまうことがなくなり、安全且つ確実にケーブル等を敷設することが可能となるという効果を奏するのである。
【００７３】
請求項４に係る発明は、請求項３に記載の配線・配管材布設具において、前記掛止部は、配線・配管材用受具の側壁の上端に掛け止め可能であることに、その構成上の特徴を有するものである。
【００７４】
そして、この請求項４に係る発明によれば、ケーブル等の布設にあたり、受具側壁の上端に、布設具の「掛止部」を掛止させるため、掛止部を受具側壁の上端に掛止させた状態のままで、前記ケーブル等に対する支持状態を解除し、当該ケーブル等を受け部に降下させることのみを以て、前記ケーブル等の布設が可能となるという効果を奏するのである。
【００７５】
請求項５に係る発明は、請求項３又は４に記載の配線・配管材布設具において、前記ケーブル又は管の受具の幅方向への布設位置を段階的に調整すべく、受具に対する進入方向に沿って複数の掛止部を備えたことに、その構成上の特徴を有するものである。
【００７６】
そして、この請求項５に係る発明の布設具によれば、受具における「受け部」に対し、複数のケーブル等を段階的に整然と布設することが可能となるという効果を奏するのである。
【００７７】
請求項６に係る発明は、請求項１から５の何れかに記載の配線・配管材布設具において、ケーブル等を滑降させる降下路に、１又は２以上のローラー機構が設けられていることに、その構成上の特徴を有するものである。
【００７８】
そして、この請求項６に係る発明の布設具によれば、降下路上に１又は２以上のローラー機構が設けられているため前記降下路上の摩擦が低減され、ケーブル等を、降下路上をスムースに滑降させることが可能となり、受け部上へ確実に布設することが可能となるという効果を奏するものである。
【図面の簡単な説明】
【図１】本発明に係る布設具１００の斜視図である。
【図２】図１に示した、第１の実施例に係る布設具１００の内部を示す部分側面図である。
【図３】図２に示した布設具１００の操作手段４０を操作して、解除手段３０を作動させた状態を示す部分側面図である。
【図４】第２の実施例に係る布設具１００の内部を示す部分側面図である。
【図５】図４に示した布設具１００の操作手段４０を操作して、解除手段３０を作動させた状態を示す部分側面図である。
【図６】第３の実施例に係る布設具１００の内部を示す部分側面図である。
【図７】図６に示した布設具１００の操作手段４０を操作して、解除手段３０を作動させた状態を示す部分側面図である。
【図８】降下路を断面略半円状に形成した布設具１００の正面図である。
【図９】図１に示した布設具１００を下方から見上げた状態を示す図である。
【図１０】ラダータイプの受具の側壁上端に、支持具本体１１の下側端面に形成した掛止部５０を係止させた状態を示す模式側面図である。
【図１１】図１に示した布設具にて、ラダータイプの受具に対してケーブルを布設する使用状態を示す図である。
【図１２】メッシュタイプの受具の側壁上端に、支持具本体１１の下側端面に形成した掛止部５０を係止させた状態を示す模式側面図である。
【図１３】図１に示した布設具にて、メッシュタイプの受具に対してケーブルを布設する使用状態を示す図である。
【図１４】支持具本体１１の側方にＬ形掛止部を設け、受け部が相互に連続しない受具に対してケーブルを布設する使用状態を示す図である。
【図１５】従来技術に係る布設具の立面図である。
【図１６】図１５に示す布設具の支持部による「支持状態」を解除した状態を示す立面図である。
１０    支持部
１１    支持具本体
２０    把持部
２１    ロッド部材
２２    グリップ
３０    解除手段
３１    棒状部材
３２    コイルスプリング
４０    操作手段
５０    掛止部
５１    Ｌ形掛止部
６０    降下路
６１    ローラー機構
１００  配線・配管材布設具
【図１】
0003663435.tif 000002
【図２】
0003663435.tif 000003
【図３】
0003663435.tif 000004
【図４】
0003663435.tif 000005
【図５】
0003663435.tif 000006
【図６】
0003663435.tif 000007
【図７】
0003663435.tif 000008
【図８】
0003663435.tif 000009
【図９】
0003663435.tif 000010
【図１０】
0003663435.tif 000011
【図１１】
0003663435.tif 000012
【図１２】
0003663435.tif 000013
【図１３】
0003663435.tif 000014
【図１４】
0003663435.tif 000015
【図１５】
0003663435.tif 000016
【図１６】
0003663435.tif 000017